(57)【要約】【課題】視聴番組の切替時においてユーザに適切な香りを提供することが可能な映像表示装置を提供する。【解決手段】本発明の映像表示装置は、番組を表示させるとともに、番組に対応する香りを出力可能な映像表示装置であって、番組を受信する受信部と、番組毎に香り種類を設定し、少なくとも番組識別情報及び香り種類からなる香り設定情報を保持する香り設定部と、番組の番組識別情報及び香り設定情報に応じて番組の香り種類及び香り強さを決定し、出力香り情報として出力する香り切替制御部と、出力香り情報に応じた香りを出力させる香り出力部と、を具備することを特徴とする。【選択図】図１
2011234176.tif 000002
【特許請求の範囲】
【請求項１】
番組を表示させるとともに、前記番組に対応する香りを出力可能な映像表示装置であって、
前記番組を受信する受信部と、
番組毎に香り種類を設定し、少なくとも番組識別情報及び香り種類からなる香り設定情報を保持する香り設定部と、
前記番組の番組識別情報及び前記香り設定情報に応じて前記番組の香り種類及び香り強さを決定し、出力香り情報として出力する香り切替制御部と、
前記出力香り情報に応じた香りを出力させる香り出力部と、を具備することを特徴とする映像表示装置。
【請求項２】
前記香り設定情報は、番組の終了時刻情報を更に含み、
前記香り切替制御部は、前記終了時刻情報に応じて、現在時刻と前記終了時刻情報で示される終了時刻との差が一定時間より小さいと判断した場合に、前記香り強さを段階的に弱くなるように設定した出力香り情報を作成する、ことを特徴とする請求項１に記載の映像表示装置。
【請求項３】
視聴中番組を次番組に切り替えるための要求である番組選択要求を入力する入力部と、を更に備え、
前記香り切替制御部は、前記番組選択要求が入力された場合に、前記視聴中番組の香り種類と前記次番組の香り種類とを比較し、一致しないと判断した場合は、香り強さを０にするとともに規定時間経過後に、前記香り強さを段階的に強くなるように設定した出力香り情報を作成する、ことを特徴とする請求項１に記載の映像表示装置。
【請求項４】
番組毎に香り種類を設定し、少なくとも番組識別情報及び香り種類からなる香り設定情報を保持する香り設定ステップと、
番組を受信する受信ステップと、
前記番組の番組識別情報及び前記香り設定情報に応じて前記番組の香り種類及び香り強さを決定し、出力香り情報として出力する香り切替制御ステップと、
前記出力香り情報に応じた香りを出力させる香り出力ステップと、を有することを特徴とする映像表示方法。
【請求項５】
前記香り設定情報は、番組の終了時刻情報を更に含み、
前記香り切替制御ステップは、前記終了時刻情報に応じて、現在時刻と前記終了時刻情報で示される終了時刻との差が一定時間より小さいと判断した場合に、前記香り強さを段階的に弱くなるように設定した出力香り情報を作成する、ことを特徴とする請求項４に記載の映像表示方法。
【請求項６】
視聴中番組を次番組に切り替えるための要求である番組選択要求を入力する入力ステップと、を更に備え、
前記香り切替制御ステップは、前記番組選択要求が入力された場合に、前記視聴中番組の香り種類と前記次番組の香り種類とを比較し、一致しないと判断した場合は、香り強さを０にするとともに規定時間経過後に、前記香り強さを段階的に強くなるように設定した出力香り情報を作成する、ことを特徴とする請求項４に記載の映像表示方法。
【発明の詳細な説明】
【技術分野】
【０００１】
本発明は映像表示装置及び映像表示方法に関し、更に詳しくは、番組映像に併せて香りを出力することが可能な映像表示装置及び映像表示方法に関するものである。
【背景技術】
【０００２】
従来、映像信号に重畳したバーコード信号に対応して香りを出力することが可能なテレビジョン受像機がある（例えば、特許文献１参照）。
【０００３】
ここで、図４用いて、特許文献１記載のテレビジョン受像機の構成を説明する。テレビジョン受像機は、コンテンツ受信部４０１と、香り信号取得部４０２と、香り信号変換部４０３と、香り出力部４０４から構成される。
【０００４】
コンテンツ受信部４０１は、視聴中の映像信号を取得し、香り信号取得部４０２へ出力する。香り信号取得部４０２は、コンテンツ受信部４０１から入力された映像信号に重畳された香り情報であるバーコード信号を抽出して、香り信号変換部４０３へ出力する。香り信号変換部４０３は、香り信号変換部４０３から入力されたバーコード信号に基づいて、波長で香りの種類を表し、また振幅で香りの強さを表す匂い信号を生成して香り出力部４０４へ出力する。香り出力部４０４は、各種の香りを発生する揮発体の液体をそれぞれ開孔部が調整可能な個別の容器に収納し、香り信号変換部４０３から入力された匂い信号の波長で容器を選択し、匂い信号の振幅で容器の開孔部を調整して、視聴中の映像信号に対応した香りを出力する。
【先行技術文献】
【特許文献】
【０００５】
【特許文献１】特開平０４−２４８７８４号公報
【発明の概要】
【発明が解決しようとする課題】
【０００６】
しかしながら、上記従来のテレビジョン受像機では、入力映像信号に応じて香りを切替えるので、切替えた際に直前に視聴していた映像信号に対応して出力していた香りが空気中に残ったままとなり、映像信号切替前後の香り同士が空気中で混じってしまい、ユーザの意図しない香りをユーザに与えてしまうという問題があった。
【０００７】
本発明は、上記事情に鑑みてなされたものであって、視聴番組の切替時においてユーザに適切な香りを提供することが可能な映像表示装置及び映像表示方法を提供することを目的とする。
【課題を解決するための手段】
【０００８】
本発明の請求項１にかかる映像表示装置は、番組を表示させるとともに、番組に対応する香りを出力可能な映像表示装置であって、番組を受信する受信部と、番組毎に香り種類を設定し、少なくとも番組識別情報及び香り種類からなる香り設定情報を保持する香り設定部と、番組の番組識別情報及び香り設定情報に応じて番組の香り種類及び香り強さを決定し、出力香り情報として出力する香り切替制御部と、出力香り情報に応じた香りを出力させる香り出力部と、を具備することを特徴とする。
【０００９】
また、本発明の請求項２にかかる映像表示装置は、本発明の請求項１にかかる映像表示装置の構成において、香り設定情報は、番組の終了時刻情報を更に含み、香り切替制御部は、終了時刻情報に応じて、現在時刻と終了時刻情報で示される終了時刻との差が一定時間より小さいと判断した場合に、香り強さを段階的に弱くなるように設定した出力香り情報を作成する、ことを特徴とする。
【００１０】
また、本発明の請求項３にかかる映像表示装置は、本発明の請求項１にかかる映像表示装置の構成において、視聴中番組を次番組に切り替えるための要求である番組選択要求を入力する入力部と、を更に備え、香り切替制御部は、番組選択要求が入力された場合に、視聴中番組の香り種類と次番組の香り種類とを比較し、一致しないと判断した場合は、香り強さを０にするとともに規定時間経過後に、香り強さを段階的に強くなるように設定した出力香り情報を作成する、ことを特徴とする。
【００１１】
また、本発明の請求項４にかかる映像表示方法は、番組毎に香り種類を設定し、少なくとも番組識別情報及び香り種類からなる香り設定情報を保持する香り設定ステップと、番組を受信する受信ステップと、番組の番組識別情報及び香り設定情報に応じて番組の香り種類及び香り強さを決定し、出力香り情報として出力する香り切替制御ステップと、出力香り情報に応じた香りを出力させる香り出力ステップと、を有することを特徴とする。
【００１２】
また、本発明の請求項５にかかる映像表示方法は、本発明の請求項４にかかる映像表示方法の構成において、香り設定情報は、番組の終了時刻情報を更に含み、香り切替制御ステップは、終了時刻情報に応じて、現在時刻と終了時刻情報で示される終了時刻との差が一定時間より小さいと判断した場合に、香り強さを段階的に弱くなるように設定した出力香り情報を作成する、ことを特徴とする。
【００１３】
また、本発明の請求項６にかかる映像表示方法は、本発明の請求項４にかかる映像表示方法の構成において、視聴中番組を次番組に切り替えるための要求である番組選択要求を入力する入力ステップと、を更に備え、香り切替制御ステップは、番組選択要求が入力された場合に、視聴中番組の香り種類と次番組の香り種類とを比較し、一致しないと判断した場合は、香り強さを０にするとともに規定時間経過後に、香り強さを段階的に強くなるように設定した出力香り情報を作成する、ことを特徴とする。
【発明の効果】
【００１４】
本発明によれば、番組を切替えた際も空気中の香りが混じることが無く、スムーズな香りの遷移を行うことが可能となる。
【図面の簡単な説明】
【００１５】
【図１】本発明の実施の形態１における映像表示装置の構成を示すブロック図
【図２】本発明の実施の形態１におけるユーザの香り選択方法の例を示す図
【図３】本発明の実施の形態１における香り切替処理を示すフローチャート
【図４】従来の香りを出力するテレビジョン受像機の構成を示すブロック図
【発明を実施するための形態】
【００１６】
以下、本発明を実施するための形態について、図面を参照しながら説明する。
【００１７】
（実施の形態１）
図１は、本発明の実施の形態１における映像表示装置の構成を示すブロック図である。映像表示装置は、コンテンツ受信部１０１と、香り判定部１０２と、入力部１０３と、番組情報記憶部１０４と、香り設定部１０５と、香り切替制御部１０６と、時間計測部１０７と、香り出力部１０８から構成される。
【００１８】
コンテンツ受信部１０１は、入力部１０５からの番組選局要求に応じて、対応する番組を放送信号として受信して表示部（図示せず）に表示させるとともに、番組識別情報を香り判定部１０２へ出力する。香り判定部１０２は、コンテンツ受信部１０１から入力された番組識別情報及び香り設定部１０５で設定された香り設定情報に基づいて、番組識別情報で特定される番組の香り種類を特定するとともに、番組識別情報、香り種類及び番組終了時刻情報を香り切替制御部１０６へ出力する。
【００１９】
入力部１０３には、ユーザがリモコンや映像表示装置本体に設置されたスイッチ等を操作することにより、香り設定要求及び番組選局要求が入力される。番組情報記憶部１０４は、少なくとも番組識別情報、番組開始時刻情報及び番組終了時刻情報を番組情報として記憶する。香り設定部１０５は、入力部１０３から入力された香り設定要求及び番組情報記憶部１０４に記憶された番組情報に応じて、番組毎に出力すべき香りを設定し、香り設定情報として記憶する。ここで、香り設定情報は、少なくとも香り種類情報、番組識別情報、番組終了時刻情報から構成される。
【００２０】
香り切替制御部１０６は、香り判定部１０２から入力された香り種類及び番組終了情報に応じて、香り出力部１０８に出力させる香り種類と香り強さを決定して、出力香り情報として香り出力部１０８へ出力する。また、香り切替処理を実行する。香り切替処理については後ほど図３を用いて詳述する。時間計測部１０７は、現在時刻を計測する。
【００２１】
香り出力部１０８は、各種の香りを発生する揮発体の液体をそれぞれ開孔部が調整可能な個別の容器に収納し、香り切替制御部１０６から入力された出力香り情報に応じて、視聴中の番組に対応した香りを出力する。
【００２２】
まず、図２を用いて本発明の実施の形態１におけるユーザの香り選択方法を説明する。本実施の形態における香り切替処理は、図２の香り選択方法を実施後に実行される。
【００２３】
ユーザは、入力部１０３を介して、番組情報記憶部１０４に記憶した番組情報を視聴コンテンツ一覧として表示部（図示せず）に表示させる。そして、入力部１０３を介して、香り設定要求を香り設定部１０５に入力し、番組毎に出力すべき香りを設定する。図２では、番組「今日のニュース」に対して「香り１」を設定し、番組「ザ・ミュージック」に対して「香り２」を設定し、番組「シネマタイム」に対して「香り３」を設定している。
【００２４】
次に、図３を用いて本発明の実施の形態１における香り切替処理について説明する。香り切替処理は、香り切替制御部１０６が、視聴中番組の終了による自動的な視聴番組の切替またはユーザの番組選択要求による視聴番組の切替が発生した際に行う。ここで、所定の香り強さとは、ユーザによって適切に調整された香りの強さであって、例えば、入力部１０３で事前に設定された強さであるとする。また、固定時間とは、香り強さが「０」になった際に、空気中の香りが無くなったと判断される時間、または香り測定器等を用いて無臭と判断される香りのレベル以下となるまでの時間とする。
【００２５】
まず、視聴中番組（現在番組）の終了をトリガとした香り切替処理について説明する。香り切替制御部１０６は、時間計測部１０７からの現在時刻情報に基づいて現在時刻と現在番組の番組終了時刻とを比較する（ステップＳ３０１で「Ｎｏ」、ステップＳ３０２）。そして、現在時刻と番組終了時刻とで一定時間以上の差があると判断した場合は（ステップＳ３０３で「Ｙｅｓ」）、香り種類を現在番組の香り種類とし、香り強さを所定の香り強さとした出力香り情報を香り出力部１０８に出力して現在番組の香り設定情報に基づいた香り出力を継続する（ステップＳ３０４）。一方、現在時刻と番組終了時刻とで一定時間以上の差がないと判断した場合は（ステップＳ３０３で「Ｎｏ」）、現在番組の香り強さを段階的に調整する処理を現在番組が終了するまで繰り返す（ステップＳ３０５、ステップＳ３０６で「Ｎｏ」）。そして、現在番組終了後（ステップＳ３０６で「Ｙｅｓ」）、現在番組の次の番組の香り設定情報に基づいて出力香り情報を作成し香り出力部１０８へ出力する（ステップＳ３０７）。ここで、現在番組の香り強さを段階的に調整する処理は、香り強さを段階的に弱くして「０」にする処理であって、所定の香り強さを固定時間で割った値を番組終了時刻と現在時刻との差に掛け合わせた強さに香り強さを設定していく処理である。
【００２６】
次に、番組選択要求をトリガとした香り切替処理について説明する。現在番組を視聴中に、現在番組を例えば裏番組等の別の番組（次番組）に切り替えるための番組選択要求が入力された場合は（ステップＳ３０１で「Ｙｅｓ」）、香り切替制御部１０６は、現在番組の香り種類と次番組の香り種類とを比較する（ステップＳ３０８）。現在番組と次番組とで香り種類が一致する場合は（ステップＳ３０９で「Ｙｅｓ」）、香り種類を次番組の香り種類とし、香り強さを所定の香り強さとした出力香り情報を作成し、香り出力部１０８に出力して次番組の香り設定情報に基づいた香り出力を行わせる（ステップＳ３１０）。一方、現在番組と次番組とで香り種類が一致しない場合は（ステップＳ３０９で「Ｎｏ」）、香り強さを「０」とし（ステップＳ３１１）、規定時間経過した後で（ステップＳ３１２で「Ｙｅｓ」）、香り種類を次番組の香り種類とし、次番組の香り強さを段階的に調整する処理を行う（ステップＳ３１３）。ここで、次番組の香り強さを段階的に調整する処理は、香り強さを段階的に強くして「所定の香り強さ」にする処理であって、所定の香り強さを固定時間で割った値を現在番組が次番組に切替えられた時刻からの経過時間に掛け合わせた強さに香り強さを設定していく処理である。
【００２７】
なお、香り種類は「出力なし」を選択することもできる。香り種類が「出力なし」と設定された香り設定情報が香り切替制御部１０６に入力された場合は、香り切替制御部１０６は香りの強さを「０」にした出力香り情報を作成する。
【産業上の利用可能性】
【００２８】
本発明によれば、番組を切替えた際も空気中の香りが混じることが無く、スムーズな香りの遷移を行うことが可能になるので、映像信号にあわせて香りを出力することが可能なＡＶ機器として有用である。
【符号の説明】
【００２９】
１０１    コンテンツ受信部
１０２    香り判定部
１０３    入力部
１０４    番組情報記憶部
１０５    香り設定部
１０６    香り切替制御部
１０７    時間計測部
１０８    香り出力部
【図１】
2011234176.tif 000003
【図２】
2011234176.tif 000004
【図３】
2011234176.tif 000005
【図４】
2011234176.tif 000006